【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出することと、
前記検出に基づいて、前記ＵＥへの少なくとも１つの後続の物理ダウンリンク共有チャネル（ＰＤＳＣＨ）送信のために、ダウンリンク送信ビームを選択することと
を備える、方法。
【請求項２】
前記ダウンリンク送信ビームは、前記ＰＵＣＣＨを送るために前記ＵＥによって使用された前記アップリンク送信ビームよりも各々狭い複数のダウンリンク送信ビームから選択される、請求項１に記載の方法。
【請求項３】
前記ＰＵＣＣＨは、前記検出に基づいて選択された前記ダウンリンク送信ビームとは異なるダウンリンク送信ビームを使用して前記基地局によって送られたＰＤＳＣＨに応答して、前記ＵＥによって送られる、
請求項１に記載の方法。
【請求項４】
前記複数のアップリンク受信ビームは、前記ＵＥに物理ダウンリンク制御チャネル（ＰＤＣＣＨ）を送信するために前記基地局によって使用されるより広いダウンリンク送信ビームと少なくとも擬似コロケート（ＱＣＬ）される、請求項１に記載の方法。
【請求項５】
前記検出に基づき、チャネル状態情報基準信号（ＣＳＩ−ＲＳ）を送信するために使用される１つまたは複数のダウンリンク送信ビームを変更することと、
前記ＵＥに前記変更のインジケーションを提供することと
をさらに備える、請求項１に記載の方法。
【請求項６】
前記ＵＥに、前記選択されたダウンリンク送信ビームへの変更をシグナリングすること
をさらに備える、請求項１に記載の方法。
【請求項７】
前記シグナリングは、物理ダウンリンク制御チャネル（ＰＤＣＣＨ）を介して提供される、請求項６に記載の方法。
【請求項８】
ユーザ機器によるワイヤレス通信のための方法であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信することと、
前記ＰＵＣＣＨの検出に基づいて選択されたダウンリンク送信ビームを使用して前記基地局によって送信されたＰＤＳＣＨを受信することと、
ＰＤＳＣＨを送信するための前記選択されたダウンリンク送信ビームへの変更を指示するシグナリングを受信することと、
前記変更に基づき、前記ＰＤＳＣＨで送信されたチャネル状態情報基準信号（ＣＳＩ−ＲＳ）を処理することと
を備える、方法。
【請求項９】
前記シグナリングは、物理ダウンリンク制御チャネル（ＰＤＣＣＨ）を介して提供される、請求項８に記載の方法。
【請求項１０】
前記ＵＥは、前記検出に基づいて選択された前記ダウンリンク送信ビームとは異なるダウンリンク送信ビームを使用し前記基地局によって送られたＰＤＳＣＨに応答して、前記ＰＵＣＣＨを送る、
請求項８に記載の方法。
【請求項１１】
前記基地局から、ＣＳＩ−ＲＳを送信するための１つまたは複数のダウンリンク送信ビームへの変更を指示するシグナリングを受信することと、
ＣＳＩ−ＲＳを送信するための前記１つまたは複数のダウンリンク送信ビームへの前記指示された変更に基づいてＣＳＩ−ＲＳをさらに処理することと
をさらに備える、請求項８に記載の方法。
【請求項１２】
ＣＳＩ−ＲＳを送信するための前記１つまたは複数のダウンリンク送信ビームへの前記指示された変更に基づいてＣＳＩ−ＲＳをさらに処理することは、
ＣＳＩ−ＲＳを送信するための前記１つまたは複数のダウンリンク送信ビームへの前記変更によって影響を受けた１つまたは複数のＣＳＩ−ＲＳ処理をリセットすること
を備える、請求項１１に記載の方法。
【請求項１３】
ワイヤレス通信のための基地局装置であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出するための手段と、
前記検出に基づいて、前記ＵＥへの少なくとも１つの後続の物理ダウンリンク共有チャネル（ＰＤＳＣＨ）送信のために、ダウンリンク送信ビームを選択するための手段と
を備える、基地局装置。
【請求項１４】
ユーザ機器によるワイヤレス通信のための装置であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信するための手段と、
前記ＰＵＣＣＨの検出に基づいて選択されたダウンリンク送信ビームを使用して前記基地局によって送信されたＰＤＳＣＨを受信するための手段と、
ＰＤＳＣＨを送信するための前記選択されたダウンリンク送信ビームへの変更を指示するシグナリングを受信するための手段と、
前記変更に基づき、前記ＰＤＳＣＨで送信されたチャネル状態情報基準信号（ＣＳＩ−ＲＳ）を処理するための手段と
を備える、装置。
【手続補正２】
【補正対象書類名】明細書
【補正対象項目名】０１１０
【補正方法】変更
【補正の内容】
【０１１０】
[0121]  特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
以下に本願の出願当初の特許請求の範囲に記載された発明を付記する。
[Ｃ１]  基地局によるワイヤレス通信のための方法であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出することと、
前記検出に基づいて、前記ＵＥへの少なくとも１つの後続の物理ダウンリンク共有チャネル（ＰＤＳＣＨ）送信のために、ダウンリンク送信ビームを選択することと
を備える、方法。
[Ｃ２]  前記ダウンリンク送信ビームは、前記ＰＵＣＣＨを送るために前記ＵＥによって使用された前記アップリンク送信ビームよりも各々狭い複数のダウンリンク送信ビームから選択される、Ｃ１に記載の方法。
[Ｃ３]  前記ＰＵＣＣＨは、前記検出に基づいて選択された前記ダウンリンク送信ビームとは異なるダウンリンク送信ビームを使用して前記基地局によって送られたＰＤＳＣＨに応答して、前記ＵＥによって送られる、
Ｃ１に記載の方法。
[Ｃ４]  前記複数のアップリンク受信ビームは、前記ＵＥに物理ダウンリンク制御チャネル（ＰＤＣＣＨ）を送信するために前記基地局によって使用されるより広いダウンリンク送信ビームと少なくとも擬似コロケート（ＱＣＬ）される、Ｃ１に記載の方法。
[Ｃ５]  どのくらいの頻度で前記検出が行われるかは、前記ＵＥのモビリティ、またはＰＤＳＣＨを送信するために使用されるダウンリンク送信ビームを使用して送信されたチャネル状態情報基準信号（ＣＳＩ−ＲＳ）を前記ＵＥが測定したときからの時間期間、のうちの少なくとも１つに基づく、Ｃ１に記載の方法。
[Ｃ６]  前記基地局は、ビームコヒーレンスの損失、または前記ＵＥから送信されたＰＵＣＣＨ上のエラーのうちの少なくとも１つを検出したことに応答してＰＤＳＣＨを送信するために、前記検出に基づいて選択された前記ダウンリンク送信ビームよりも広いダウンリンク送信ビームを使用することにフォールバックする、
Ｃ１に記載の方法。
[Ｃ７]  前記基地局は、前記検出を行うために使用されていないときに、１つまたは複数の他のＵＥにサービスするためにも使用される少なくとも１つのアンテナポートを使用して前記検出を行う、
Ｃ１に記載の方法。
[Ｃ８]  同時のＰＵＣＣＨ送信のために複数のＵＥをスケジューリングすることであって、前記ＵＥは同じブロードビームで送信または受信するものである、スケジューリングすること
をさらに備える、Ｃ１に記載の方法。
[Ｃ９]  前記基地局は、狭いダウンリンク送信ビームおよび広いダウンリンク送信ビームの両方を使用してチャネル状態情報基準信号（ＣＳＩ−ＲＳ）を送信する、Ｃ１に記載の方法。
[Ｃ１０]  前記ＣＳＩ−ＲＳに基づいて前記ＵＥによって推定された、ランクインジケータ（ＲＩ）またはプリコーディングマトリックスインジケータ（ＰＭＩ）のうちの少なくとも１つに関して前記ＵＥからのフィードバックを受信すること
をさらに備える、Ｃ９に記載の方法。
[Ｃ１１]  前記検出に基づき、チャネル状態情報基準信号（ＣＳＩ−ＲＳ）を送信するために使用される１つまたは複数のダウンリンク送信ビームを変更することと、
前記ＵＥに前記変更のインジケーションを提供することと
をさらに備える、Ｃ１に記載の方法。
[Ｃ１２]  前記ＵＥがＰＤＳＣＨを受信するために使用するものと同じポートで前記ＵＥがＰＵＣＣＨを送る場合に、ランクインジケータ（ＲＩ）またはプリコーディングマトリックスインジケータ（ＰＭＩ）のうちの少なくとも１つを推定すること
をさらに備える、Ｃ１に記載の方法。
[Ｃ１３]  前記ＵＥに、前記選択されたダウンリンク送信ビームへの変更をシグナリングすること
をさらに備える、Ｃ１に記載の方法。
[Ｃ１４]  前記シグナリングは、物理ダウンリンク制御チャネル（ＰＤＣＣＨ）を介して提供される、Ｃ１３に記載の方法。
[Ｃ１５]  ユーザ機器によるワイヤレス通信のための方法であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信することと、
前記ＰＵＣＣＨの検出に基づいて選択されたダウンリンク送信ビームを使用して前記基地局によって送信されたＰＤＳＣＨを受信することと、
ＰＤＳＣＨを送信するための前記選択されたダウンリンク送信ビームへの変更を指示するシグナリングを受信することと、
前記変更に基づき、前記ＰＤＳＣＨで送信されたチャネル状態情報基準信号（ＣＳＩ−ＲＳ）を処理することと
を備える、方法。
[Ｃ１６]  前記シグナリングは、物理ダウンリンク制御チャネル（ＰＤＣＣＨ）を介して提供される、Ｃ１５に記載の方法。
[Ｃ１７]  前記ＵＥは、前記検出に基づいて選択された前記ダウンリンク送信ビームとは異なるダウンリンク送信ビームを使用し前記基地局によって送られたＰＤＳＣＨに応答して、前記ＰＵＣＣＨを送る、
Ｃ１５に記載の方法。
[Ｃ１８]  前記ＵＥは、狭いダウンリンク送信ビームおよび広いダウンリンク送信ビームの両方を使用して前記基地局によって送信されたチャネル状態情報基準信号（ＣＳＩ−ＲＳ）を処理する、Ｃ１５に記載の方法。
[Ｃ１９]  前記ＣＳＩ−ＲＳに基づいて前記ＵＥによって推定されれた、ランクインジケータ（ＲＩ）またはプリコーディングマトリックスインジケータ（ＰＭＩ）のうちの少なくとも１つに関して前記基地局へのフィードバックを提供すること
をさらに備える、Ｃ１８に記載の方法。
[Ｃ２０]  前記基地局から、ＣＳＩ−ＲＳを送信するための１つまたは複数のダウンリンク送信ビームへの変更を指示するシグナリングを受信することと、
ＣＳＩ−ＲＳを送信するための前記１つまたは複数のダウンリンク送信ビームへの前記指示された変更に基づいてＣＳＩ−ＲＳをさらに処理することと
をさらに備える、Ｃ１５に記載の方法。
[Ｃ２１]  ＣＳＩ−ＲＳを送信するための前記１つまたは複数のダウンリンク送信ビームへの前記指示された変更に基づいてＣＳＩ−ＲＳをさらに処理することは、
ＣＳＩ−ＲＳを送信するための前記１つまたは複数のダウンリンク送信ビームへの前記変更によって影響を受けた１つまたは複数のＣＳＩ−ＲＳ処理をリセットすること
を備える、Ｃ２０に記載の方法。
[Ｃ２２]  基地局によるワイヤレス通信のための装置であって、
複数のアップリンク受信ビームを用い、前記アップリンク受信ビームの各々よりも広いアップリンク送信ビームを使用してユーザ機器（ＵＥ）によって送られた物理アップリンク制御チャネル（ＰＵＣＣＨ）を検出するための手段と、
前記検出に基づいて、前記ＵＥへの少なくとも１つの後続の物理ダウンリンク共有チャネル（ＰＤＳＣＨ）送信のために、ダウンリンク送信ビームを選択するための手段と
を備える、装置。
[Ｃ２３]  ユーザ機器によるワイヤレス通信のための装置であって、
物理ダウンリンク共有チャネル（ＰＤＳＣＨ）を送信するために基地局によって使用されるダウンリンク送信ビームよりも広いアップリンク送信ビームを使用して前記基地局に物理アップリンク制御チャネル（ＰＵＣＣＨ）を送信するための手段と、
前記ＰＵＣＣＨの検出に基づいて選択されたダウンリンク送信ビームを使用して前記基地局によって送信されたＰＤＳＣＨを受信するための手段と、
ＰＤＳＣＨを送信するための前記選択されたダウンリンク送信ビームへの変更を指示するシグナリングを受信するための手段と、
前記変更に基づき、前記ＰＤＳＣＨで送信されたチャネル状態情報基準信号（ＣＳＩ−ＲＳ）を処理するための手段と
を備える、装置。